(57)【特許請求の範囲】
【請求項１】
取付杆にスライド可能に連結され、側壁に凹凸部が形成された長孔を設けた樋支持具本体と、水平方向に回転させる横回転ロックレバーを備え、これらを上下に貫通する連結軸で連結し、上記樋支持具本体を所望の位置で固定させる横回転ロック式の雨樋支持具において、
上記横回転ロックレバーには、回転規制部が設けられると共に、上記取付杆と樋支持具本体とを圧接させ、且つ、上記横回転ロックレバーのロック位置決めされる押上段部が形成されて成り、
上記押上段部は、一端からロック回転方向に向けて徐々に傾斜される傾斜部が形成され、その終端が鋭角状に段落ち形成された係止部を形成し、この係止部が上記長孔の凹部に係止される構造にしたことを特徴とする横回転ロック式の雨樋支持具。
【請求項２】
取付杆にスライド可能に連結される長孔を設けた樋支持具本体と、座金と、水平方向に回転させる横回転ロックレバーを備え、これらを上下に貫通する連結軸で連結し、上記樋支持具本体を所望の位置で固定させる横回転ロック式の雨樋支持具において、
上記横回転ロックレバーには、回転規制部が設けられると共に、位置決め用の穴部が形成され、
上記座金の上面には、上記樋支持具本体に押圧係止される係止爪が立設されると共に、その下面には、上記横回転ロックレバーに圧接させ、且つ、上記横回転ロックレバーのロック位置決めされる押上段部が形成されて成り、
上記押上段部は、一端からロック回転方向に向けて徐々に傾斜される傾斜部が形成され、その終端が鋭角状に段落ち形成された係止部を形成し、この係止部が上記穴部に係止される構造にしたことを特徴とする横回転ロック式の雨樋支持具。
【発明の詳細な説明】
【０００１】
【発明の属する技術分野】
本発明は、軒先等に取付けられる横回転ロック式の雨樋支持具に関し、詳しくは、軒先等に固定される取付杆とスライド可能に連結した樋支持具本体を、横回転ロックレバーで所望の位置にロックし、そのロック位置で位置決め可能な押上段部を備えた横回転ロック式の雨樋支持具の改良に関する。
【０００２】
【従来の技術】
図６は、従来の横回転ロック式の雨樋支持具を示す分解斜視図である。
【０００３】
この横回転ロック式の雨樋支持具１００は、取付杆１０１とスライド可能に連結した樋支持具本体１０２と、水平方向に回転させる横回転ロックレバー１０３を備え、これらを上下に貫通する連結軸１０４で連結したものである。
【０００４】
樋支持具本体１０２には、長手方向にスライド用の長孔１１２が形成され、この長孔１１２の側壁には、波状の凹凸部１２２を連続して形成している。
【０００５】
横回転ロックレバー１０３の基板１１３には、樋支持具本体１０２を上方に押上げると共に、ロック位置では長孔１１２の凹凸部１２２の凹部に嵌入されるロック位置決め用の押上段部１０５を上方に向けて形成している。
【０００６】
図７（ａ）〜（ｃ）は、従来の横回転ロックレバーの動作を説明するために概略的に示した要部の拡大動作図である。
【０００７】
ここで、図７（ａ）は、横回転ロックレバー１０３のアンロック状態を、図７（ｂ）は、横回転ロックレバー１０３のロック途中の状態を、図７（ｃ）は、横回転ロックレバー１０３のロック位置での状態を各々示している。
【０００８】
すなわち、横回転ロックレバー１０３をアンロック状態からロック方向に水平回転すれば、その押上段部１０５が樋支持具本体１０２の下面を押上げて、樋支持具本体１０２を取付杆１０１に圧接させる。
【０００９】
そして、更に横回転ロックレバー１０３を水平回転させると、押上段部１０５は、長孔１１２の凹凸部１２２の凹部に嵌入され、ロック位置が決まり（以下、「ロック決め位置」とも呼ぶ、）、ロック状態となるのである。
【００１０】
一方、横回転ロックレバー１０３を先程とは逆方向に水平回転すれば、先程とは逆の要領で、押上段部１０５が凹凸部１２２の凹部から離脱されて、簡単にロックが解除されたアンロック状態となるので、樋支持具本体１０２を取付杆１０１にスライド可能にできるのである。
【００１１】
このように、従来の横回転ロック式の雨樋支持具１００は、ロック決め位置から略９０°回転させるだけで樋支持具本体１０２を取付杆１０１に圧接して容易にロック、アンロック操作できる点で優れている。
【００１２】
【発明が解決しようとする課題】
しかし、従来の横回転ロックレバー１０３では、ロック決め位置での押上段部１０５を凹凸部１２２の凹部から簡単に離脱できる利点がある反面、横回転ロックレバー１０３に不用意な衝撃等がかかると、横回転ロックレバー１０３は、ロック決め位置から離脱され、樋支持具本体１０２と取付杆１０１との圧接が解除されてしまう恐れがあった。
【００１３】
本発明は、かかる課題を解決することを目的とするもので、横回転ロックレバーを容易にロック状態にできると共に、ロック後は、そのロック決め位置から不用意に外れることのない横回転ロック式の雨樋支持具を提供する。
【００１４】
【課題を解決するための手段】
上記目的を達成するため、
請求項１に係る横回転ロック式の雨樋支持具は、取付杆にスライド可能に連結され、側壁に凹凸部が形成された長孔を設けた樋支持具本体と、水平方向に回転させる横回転ロックレバーを備え、これらを上下に貫通する連結軸で連結し、上記樋支持具本体を所望の位置で固定させる横回転ロック式の雨樋支持具において、上記横回転ロックレバーには、回転規制部が設けられると共に、上記取付杆と樋支持具本体とを圧接させ、且つ、上記横回転ロックレバーのロック位置決めされる押上段部が形成されて成り、上記押上段部は、一端からロック回転方向に向けて徐々に傾斜される傾斜部が形成され、その終端が鋭角状に段落ち形成された係止部を形成し、この係止部が上記長孔の凹部に係止される構造にしたことを特徴とする。
【００１５】
このものでは、取付杆、樋支持具本体、横回転ロックレバーの３部材を連結軸で連結した構造にされている。
【００１６】
すなわち、横回転ロックレバーを横回転すれば、押上段部の傾斜部に沿って、取付杆と樋支持具本体がスムーズに圧接され、これをさらに横回転すれば、押上段部が長孔の凹凸部の凹部に嵌り込むと共に、押上段部の終端の係止部は凹部に係止され、ロック位置決めされる。
【００１７】
一方、ロックを解除するには、先程とは逆方向に水平回転すれば良いが、押上段部の係止部が凹凸部の凹部に係止されているので、そのロック決め位置から不用意にアンロック方向に回転されることを防止できる。
【００１８】
請求項２に係る横回転ロック式の雨樋支持具は、取付杆にスライド可能に連結される長孔を設けた樋支持具本体と、座金と、水平方向に回転させる横回転ロックレバーを備え、これらを上下に貫通する連結軸で連結し、上記樋支持具本体を所望の位置で固定させる横回転ロック式の雨樋支持具において、上記横回転ロックレバーには、回転規制部が設けられると共に、位置決め用の穴部が形成され、上記座金の上面には、上記樋支持具本体に押圧係止される係止爪が立設されると共に、その下面には、上記横回転ロックレバーに圧接させ、且つ、上記横回転ロックレバーのロック位置決めされる押上段部が形成されて成り、上記押上段部は、一端からロック回転方向に向けて徐々に傾斜される傾斜部が形成され、その終端が鋭角状に段落ち形成された係止部を形成し、この係止部が上記穴部に係止される構造にしたことを特徴とする。
【００１９】
このものでは、取付杆、樋支持具本体、座金、横回転ロックレバーの４部材を連結軸で連結した構造にされている。
【００２０】
すなわち、横回転ロックレバーを横回転すれば、押上段部の傾斜部に沿って、座金がスムーズに持ち上げられて、樋支持具本体と取付杆が圧接され、これをさらに横回転すれば、押上段部が横回転ロックレバーの穴部に嵌り込むと共に、押上段部の終端の係止部は穴部に係止され、ロック位置決めされる。
【００２１】
一方、ロックを解除するには、先程とは逆方向に水平回転すれば良いが、押上段部の係止部が横回転ロックレバーの穴部に係止されているため、そのロック決め位置から不用意にアンロック方向に回転されることを防止できる。
【００２２】
【発明の実施の形態】
図１は、本発明に係る横回転ロック式の雨樋支持具を示す分解斜視図である。
【００２３】
この横回転ロック式の雨樋支持具Ａは、取付杆１とスライド可能に連結した樋支持具本体２と、水平方向に回転させる横回転ロックレバー３を備え、これらを上下に貫通する連結軸４で連結している。
【００２４】
以下、各部材について詳説する。
【００２５】
取付杆１は、軒先等に固定される取付足板１１の上端中央から前方に向けて足杆１２を延設し、この足杆１２の前方には、段落ち形成した連結片部１３を形成し、この連結片部１３には、軸孔１４が開設されている。
【００２６】
なお、取付杆１の形状は例示であり、これに限定されるものではない。
【００２７】
樋支持具本体２は、長板状のスライド板本体の前後端に、雨樋を吊下げ支持するための樋掛止部２３が各々形成されている。
【００２８】
この樋掛止部２３は、図例のものに限定されず、雨樋の形状に応じて種々のものが採用される。
【００２９】
また、樋支持具本体２の長手方向中央には、連結軸４が貫通される長孔２１を開設し、この長孔２１の側壁には、波状の凹凸部２２を連続して形成している。
【００３０】
連結軸４は、取付杆１の軸孔１４、樋支持具本体２の長孔２１、横回転ロックレバー３の軸孔部３２を貫通する軸部４１を備えており、ここでは、リベットを例示しているが、一対のボルト、ナットを用いることも可能である。
【００３１】
横回転ロックレバー３は、基板３１に連結軸４を貫通する軸孔部３２が形成されると共に、その基板３１の両側には、下方に向けて延設された一対の下側把持部３３を形成し、横回転ロックレバー３を下側から横回転操作できるようにしている。
【００３２】
また、基板３１の対向するコーナーには、上方に突出される一対の回転規制部３４を形成しており、この回転規制部３４によって、横回転ロックレバー３を上側からでも横回転操作できると共に、横回転ロックレバー３の回動が確実に停止されるように規制されている。
【００３３】
このような下側把持部３３及び回転規制部３４は、何れも指で操作できる形状に形成されていれば良く、図例のものには限定されない。
【００３４】
また、基板３１の上面の前、後には、取付杆１と樋支持具本体２とを圧接させ、且つ、横回転ロックレバー３のロック位置決めされる幅方向に長い押上段部５を形成している。
【００３５】
この押上段部５には、一端からロック回転方向に向けて徐々に傾斜される傾斜部５１が形成され、その終端が鋭角状に段落ち形成された係止部５２を形成している。
【００３６】
この係止部５２は、ロック決め位置では、樋支持具本体２の長孔２１に形成された凹凸部２２の凹部に係止される位置に形成されている。
【００３７】
このように構成された横回転ロック式の雨樋支持具Ａは、図１で示すように連結軸４を、取付杆１の軸孔１３、樋支持具本体２の長孔２１、横回転ロックレバー３の軸孔部３２に順次貫通し、この連結軸４の下端にバネワッシャなどの弾性体７、座金８を挿通したうえで、その下端をカシメ止めしてこれらが連結されており、樋支持具本体２を前後にスライド可能にしている。
【００３８】
図２（ａ）〜（ｃ）は、本発明の横回転ロックレバーの動作を説明するために概略的に示した要部の拡大動作図である。
【００３９】
ここで、図２（ａ）は、横回転ロックレバー３のアンロック状態を、図２（ｂ）は、横回転ロックレバー３のロック途中の状態を、図２（ｃ）は、横回転ロックレバー３のロック位置での状態を各々示している。
【００４０】
なお、図１で示した部材と同一の部材には、同番号を付し、その説明は省略している。
【００４１】
すなわち、本発明の横回転ロックレバー３をアンロック状態からロック方向に水平回転すれば、その押上段部５が、傾斜部５１に沿って、樋支持具本体２の下面を押上げ、取付杆１と樋支持具本体２がスムーズに圧接される。
【００４２】
そして、更に横回転ロックレバー３を水平回転させると、押上段部５は、長孔２１の凹凸部２２の凹部に嵌り込むと共に、押上段部５の終端の係止部５２が凹部に係止され、ロック位置決めされ、ロック状態となるのである。
【００４３】
一方、ロックを解除するには、押上段部５の係止部５２が、長孔２１の凹部に係止されているため、この係止が解除される程度の回転力を加えて、横回転ロックレバー３を先程とは逆方向に水平回転すれば、先程とは逆の要領で、押上段部５の係止部５２が凹凸部２２の凹部から離脱されて、ロックが解除されたアンロック状態となり、樋支持具本体２を取付杆１にスライド可能にできる。
【００４４】
上記の通り、本発明に係る横回転ロック式の雨樋支持具Ａによれば、押上段部５の傾斜部５１によって、横回転ロックレバー３を容易にロック状態にできると共に、ロック後は、押上段部５の係止部５２が凹凸部２２の凹部に係止されているので、そのロック決め位置から不用意にアンロック方向に回転されることを防止できる。
【００４５】
図３は、本発明に係る横回転ロック式の雨樋支持具の他の例を示す分解斜視図である。
【００４６】
なお、図１、図２と共通する部材には、共通の番号を付し、その説明は省略している。
【００４７】
この横回転ロック式の雨樋支持具Ａは、取付杆１、樋支持具本体２、座金９、横回転ロックレバー３の４部材を連結軸４で連結した構造のものを例示している。
【００４８】
以下、その特徴部分についてのみ説明する。
【００４９】
樋支持具本体２の長孔２１は、直線状に形成され、少なくとも下面に凹凸部２２を形成している。
【００５０】
横回転ロックレバー３の基板３１には、回転規制部３４とは異なるコーナーの近傍に、
一対の位置決め用の穴部３５を形成している。
【００５１】
座金９は、矩形状の板材が用いられ、この上面には、樋支持具本体２の長孔２１に押圧係止される係止爪９１が切り起こして形成されている。
【００５２】
この係止爪９１は、樋支持具本体２の長孔２１が、図１で示された凹凸部２２を備えたものであれば、その凹部に係止されるが、長孔２１が、図３で示すような直線状のものでは、下面の凹凸部２２に係止される。
【００５３】
また、座金９下面には、下方に向けて突出された押上段部５を形成している。
【００５４】
図３で示した押上段部５は、図１とは異なり、座金９下面の前、後端に、幅方向に長く、且つ中央にかけて徐々に下方に膨出する膨出部５３を形成し、この膨出部５３の頂上に、ロック位置決めのための押上段部５を下方に向けて形成している。
【００５５】
この押上段部５にも、一端からロック回転方向に向けて徐々に傾斜される傾斜部５１が形成され、その終端が鋭角状に段落ち形成された係止部５２を形成している。
【００５６】
この係止部５２は、ロック決め位置では、横回転ロックレバー３の穴部３５に係止される位置に形成されている。
【００５７】
また、座金９の中央には、横回転ロックレバー３の軸孔部３２に重合される同様の軸孔部９２を形成している。
【００５８】
図４（ａ）〜（ｃ）は、図３で示した横回転ロックレバーの動作を説明するために概略的に示した要部の拡大動作図である。
【００５９】
ここで、図４（ａ）は、横回転ロックレバー３のアンロック状態を、図４（ｂ）は、横回転ロックレバー３のロック途中の状態を、図４（ｃ）は、横回転ロックレバー３のロック位置での状態を各々示している。
【００６０】
なお、図３で示した部材と同一の部材には、同番号を付し、その説明は省略している。
【００６１】
すなわち、本発明の横回転ロックレバー３をアンロック状態からロック方向に水平回転すれば、基板３１が、座金９の膨出部５３を押上げると共に、樋支持具本体２の下面を押上げ、取付杆１と樋支持具本体２がスムーズに圧接される。
【００６２】
そして、更に横回転ロックレバー３を水平回転させると、基板３１は、押上段部５の傾斜部５１に沿って、スムーズに乗り上げ、横回転ロックレバー３の穴部３５に、押上段部５が嵌り込むと共に、押上段部５の終端の係止部５２が穴部３５に係止され、ロック位置決めされた、ロック状態となるのである。
【００６３】
一方、ロックを解除するには、押上段部５の係止部５２が、横回転ロックレバー３の穴部３５に係止されているため、この係止が解除される程度の回転力を加えて、横回転ロックレバー３を先程とは逆方向に水平回転すれば、先程とは逆の要領で、押上段部５の係止部５２が横回転ロックレバー３の穴部３５から離脱されて、ロックが解除されたアンロック状態となり、樋支持具本体２を取付杆１にスライド可能にできる。
【００６４】
上記の通り、本発明に係る横回転ロック式の雨樋支持具Ａによれば、押上段部５の傾斜部５１によって、横回転ロックレバー３を容易にロック状態にできると共に、ロック後は、押上段部５の係止部５２が横回転ロックレバー３の穴部３５に係止されているので、そのロック決め位置から不用意にアンロック方向に回転されることを防止できる。
【００６５】
図５は、本発明に係る横回転ロック式の雨樋支持具の更に他の例を示す分解斜視図である。
【００６６】
なお、図３と共通する部材には、共通の番号を付し、その説明は省略している。
【００６７】
この横回転ロック式の雨樋支持具Ａは、図３で示した係止爪９１が形成されていないものを示しており、座金９の上面が、樋支持具本体２の下面に直接圧接されて固定される構造のものを示している。
【００６８】
このような構造の雨樋支持具Ａでは、横回転ロックレバー３をアンロック状態からロック方向に水平回転すれば、基板３１が、座金９の膨出部５３を押上げると共に、樋支持具本体２の下面を押上げ、樋支持具本体２が取付杆１に直接圧接されて固定される。
【００６９】
そして、図４で示したように、更に横回転ロックレバー３を水平回転させると、基板３１は、押上段部５の傾斜部５１に沿って、スムーズに乗り上げ、横回転ロックレバー３の穴部３５に、押上段部５が嵌り込むと共に、押上段部５の終端の係止部５２が穴部３５に係止され、ロック位置決めされた、ロック状態となるのである。
【００７０】
一方、ロックを解除するには、押上段部５の係止部５２が、横回転ロックレバー３の穴部３５に係止されているため、この係止が解除される程度の回転力を加えて、横回転ロックレバー３を先程とは逆方向に水平回転すれば、先程とは逆の要領で、押上段部５の係止部５２が横回転ロックレバー３の穴部３５から離脱されて、ロックが解除されたアンロック状態となり、樋支持具本体２を取付杆１にスライド可能となり、図３と同様の効果を得ることができる。
【発明の効果】
本発明によれば、次のような効果がある。
【００７１】
請求項１に係る横回転ロック式の雨樋支持具によれば、押上段部の傾斜部によって、横回転ロックレバーを容易にロック状態にできると共に、ロック後は、押上段部の係止部が凹凸部の凹部に係止されているので、そのロック決め位置から不用意にアンロック方向に回転されることを防止できる。
【００７２】
請求項２に係る横回転ロック式の雨樋支持具によれば、押上段部の傾斜部によって、横回転ロックレバーを容易にロック状態にできると共に、ロック後は、押上段部の係止部が横回転ロックレバーの穴部に係止されているので、そのロック決め位置から不用意にアンロック方向に回転されることを防止できる。
【図面の簡単な説明】
【図１】本発明に係る横回転ロック式の雨樋支持具を示す分解斜視図
【図２】（ａ）〜（ｃ）は、本発明の横回転ロックレバーの動作を説明するために概略的に示した要部の拡大動作図
【図３】本発明に係る横回転ロック式の雨樋支持具の他の例を示す分解斜視図
【図４】（ａ）〜（ｃ）は、図３で示した横回転ロックレバーの動作を説明するために概略的に示した要部の拡大動作図
【図５】本発明に係る横回転ロック式の雨樋支持具の更に他の例を示す分解斜視図
【図６】従来の横回転ロック式の雨樋支持具を示す分解斜視図
【図７】（ａ）〜（ｃ）は、従来の横回転ロックレバーの動作を説明するために概略的に示した要部の拡大動作図
【符号の説明】
Ａ      横回転ロック式の雨樋支持具
１        取付杆
２      樋支持具本体
２１    長孔
２２    凹凸部
３      横回転ロックレバー
３４    回転規制部
３５    穴部
４      連結軸
５      押上段部
５１    傾斜部
５２    係止部
９      座金
９１    係止爪
【図１】
0003581355.tif 000002
【図２】
0003581355.tif 000003
【図３】
0003581355.tif 000004
【図４】
0003581355.tif 000005
【図５】
0003581355.tif 000006
【図６】
0003581355.tif 000007
【図７】
0003581355.tif 000008